(57)【要約】【課題】無理な姿勢を取らずに、横位置、縦位置での撮影が可能であり、また、傾いた画像を記録することを防止できる。【解決手段】撮像画像を出力するＣＣＤなどの撮影素子（撮像部）１１と、撮影素子１１からの撮像画像を画像処理する画像処理部１２と、記録画像を記録する記録部１３と、カメラ本体２０に対して回転可能に設けられ、撮影素子１１からの撮像画像又は記録部１３の記録された録画像に基づいて、表示画像を表示する液晶モニタ（表示部）１４と、液晶モニタ１４の回転量を検出する回転検出部１５と、回転検出部１５で検出された液晶モニタ１４の回転量に応じて、記録画像の記録範囲を変更して、記録部１３に記録するＣＰＵ（制御部）１６と、撮影素子１１に被写体像を結像させる撮影光学系に設けられたズーム機構１７などとを備えている。【選択図】        図１
2004253938.tif 000002
【特許請求の範囲】
【請求項１】
撮像画像を出力する撮像部と、
記録画像を記録する記録部と、
前記撮像画像又は前記記録画像に基づいて、表示画像を表示する表示部と、
前記表示画像の光軸周りの回転量を操作する回転操作部と、
前記回転操作部で操作した前記表示画像の回転量に応じて、前記記録画像の記録範囲を変更して、前記記録部に記録する制御部と、
を備える電子カメラ。
【請求項２】
撮像画像を出力する撮像部と、
記録画像を記録する記録部と、
カメラ本体に対して回転可能に設けられ、前記撮像画像又は前記記録画像に基づいて、表示画像を表示する表示部と、
前記表示部の回転量を検出する回転検出部と、
前記回転検出部で検出された前記表示部の回転量に応じて、前記記録画像の記録範囲を変更して、前記記録部に記録する制御部と、
を備える電子カメラ。
【請求項３】
請求項１又は請求項２に記載の電子カメラにおいて、
前記表示部は、前記表示画像を矩形形状に表示し、
前記制御部は、前記表示部に表示する前記表示画像を、長辺又は短辺方向が水平方向になるように変換して、前記記録部に記録すること、
を特徴とする電子カメラ。
【請求項４】
請求項３に記載の電子カメラにおいて、
前記制御部は、前記回転操作部又は前記回転検出部の回転量が予め設定された回転量となったときに、長辺又は短辺方向が水平方向になるように変換すること、
を特徴とする電子カメラ。
【請求項５】
請求項１から請求項４までのいずれか１項に記載の電子カメラにおいて、
前記撮像部は、ズーム機構を有し、
前記制御部は、前記回転操作部又は前記回転検出部の回転量に応じて、記録範囲を変更すると共に、前記ズーム機構により撮影倍率を変更すること、
を特徴とする電子カメラ。
【請求項６】
請求項１から請求項５までのいずれか１項に記載の電子カメラにおいて、
前記記録部は、前記記録画像を記録すると共に、前記回転操作部又は前記回転検出部の回転情報を記録し、
前記制御部は、再生時に、前記記録部に記録された回転情報に応じて、前記表示部の表示画像が最大になるようにすること、
を特徴とする電子カメラ。
【発明の詳細な説明】
【０００１】
【発明の属する技術分野】
本発明は、被写体を撮像して動画像又は静止画像を生成して、モニタ用の表示部で表示する電子カメラに関するものである。
【０００２】
【従来の技術】従来、この種の電子カメラとして、被写体を撮像して画像を生成する撮像手段と、撮像手段の撮影光軸に沿った回転軸を中心にその撮像手段が予め決められた姿勢に対して回転された方向及び角度を検出する撮像姿勢検出手段と、撮像姿勢検出手段によって検出された方向及び角度で画像を回転して記録画像を生成する記録画像変換手段と、記録画像変換手段によって生成された記録画像を記録する記録手段とを備えたものが知られている（例えば、特許文献１）。
この電子カメラは、撮像面の姿勢の変化や表示画面の姿勢の変化に適応して、記録すべき画像や表示すべき画像の上下を常に一定に保つことができる。
【０００３】
【特許文献１】
特開平１０−１６４４２６号公報
【０００４】
【発明が解決しようとする課題】
しかし、前述した従来の電子カメラは、横位置での撮影を前提としているので、縦位置で撮影するには、無理な姿勢で撮影しなければ、ならなかった。
一方、従来の電子カメラは、三脚等に取り付けた場合に、正確に水平出しをしていないときには、画像が傾いて記録されてしまうことがあった。また、三脚等がない場合に、平な面にカメラを置いて撮影する場合もあるが、その面が水平でない可能性もあり、同様に、画像が傾いて記録されてしまうことがあった。
【０００５】
本発明の課題は、無理な姿勢を取らずに、横位置、縦位置での撮影が可能であり、また、傾いた画像を記録することを防止できる電子カメラを提供することである。
【０００６】
【課題を解決するための手段】
前記課題を解決するために、請求項１の発明は、撮像画像を出力する撮像部と、記録画像を記録する記録部と、前記撮像画像又は前記記録画像に基づいて、表示画像を表示する表示部と、前記表示画像の光軸周りの回転量を操作する回転操作部と、前記回転操作部で操作した前記表示画像の回転量に応じて、前記記録画像の記録範囲を変更して、前記記録部に記録する制御部と、を備える電子カメラである。
【０００７】
請求項２の発明は、撮像画像を出力する撮像部と、記録画像を記録する記録部と、カメラ本体に対して回転可能に設けられ、前記撮像画像又は前記記録画像に基づいて、表示画像を表示する表示部と、前記表示部の回転量を検出する回転検出部と、前記回転検出部で検出された前記表示部の回転量に応じて、前記記録画像の記録範囲を変更して、前記記録部に記録する制御部と、を備える電子カメラである。
【０００８】
請求項３の発明は、請求項１又は請求項２に記載の電子カメラにおいて、前記表示部は、前記表示画像を矩形形状に表示し、前記制御部は、前記表示部に表示する前記表示画像を、長辺又は短辺方向が水平方向になるように変換して、前記記録部に記録すること、を特徴とする電子カメラである。
【０００９】
請求項４の発明は、請求項３に記載の電子カメラにおいて、前記制御部は、前記回転操作部又は前記回転検出部の回転量が予め設定された回転量となったときに、長辺又は短辺方向が水平方向になるように変換すること、を特徴とする電子カメラである。
【００１０】
請求項５の発明は、請求項１から請求項４までのいずれか１項に記載の電子カメラにおいて、前記撮像部は、ズーム機構を有し、前記制御部は、前記回転操作部又は前記回転検出部の回転量に応じて、記録範囲を変更すると共に、前記ズーム機構により撮影倍率を変更すること、を特徴とする電子カメラである。
【００１１】
請求項６の発明は、請求項１から請求項５までのいずれか１項に記載の電子カメラにおいて、前記記録部は、前記記録画像を記録すると共に、前記回転操作部又は前記回転検出部の回転情報を記録し、前記制御部は、再生時に、前記記録部に記録された回転情報に応じて、前記表示部の表示画像が最大になるようにすること、を特徴とする電子カメラである。
【００１２】
【発明の実施の形態】
以下、図面等を参照して、本発明の実施の形態について、さらに詳しく説明する。
図１は、本発明による電子カメラの実施形態を示すブロック図である。
本実施形態の電子カメラ１０は、撮像画像を出力するＣＣＤなどの撮影素子（撮像部）１１と、撮影素子１１からの撮像画像を画像処理する画像処理部１２と、記録画像を記録する記録部１３と、カメラ本体２０（図２参照）に対して回転可能に設けられ、撮影素子１１からの撮像画像又は記録部１３の記録された録画像に基づいて、表示画像を表示する液晶モニタ（表示部）１４と、液晶モニタ１４の回転量を検出する回転検出部１５と、回転検出部１５で検出された液晶モニタ１４の回転量に応じて、記録画像の記録範囲を変更して、記録部１３に記録するＣＰＵ（制御部）１６と、撮影素子１１に被写体像を結像させる撮影光学系に設けられたズーム機構１７などとを備えている。
【００１３】
図２は、本実施形態に係る電子カメラを背面から見た斜視図である。
この電子カメラ１０は、カメラ本体２０の背面に液晶モニタ１４が配置されており、レンズユニット２１を通して撮像素子１１で撮像された画像は、この液晶モニタ１４によって表示される。
この実施形態の液晶モニタ１４は、矢印Ａで示すように、カメラ本体２０に対して、回転可能に設置されている。ここでは、液晶モニタ１４は、その中心部を回転軸に回転する。
液晶モニタ１４は、表示画面１４ａが矩形形状であり、外周部１４ｂには、滑り止め用のローレットが形成されている。
なお、２２はレリーズボタン、２３はズームボタン、２４はクイックレビューボタン、２５はメニューボタン、２６はモニタボタンである。
【００１４】
図３は、本実施形態に係る電子カメラの動作を示すフローチャートである。
このフローは、レリーズボタン２２の半押し状態でスタートし、画像処理部１２又はＣＰＵ１６で実行される。
Ｓ１０１では、撮影素子１１からの撮像画像を入力する。
Ｓ１０２では、回転検出部１６からの回転量を入力する。
【００１５】
Ｓ１０３では、Ｓ１０２で入力した回転量に基づいて、記録部１３に記録する記録画像の変換処理を行う。
図４、図５は、本実施形態に係る電子カメラの記録画像の変換処理を示す模式図である。
液晶モニタ１４は、通常状態では、図４（Ａ）に示すように、表示画面１４ａが横長に配置されており、撮影者が外周部１４ｂを操作して、液晶モニタ１４を回転させ、ほぼ９０度回転された状態では、図５（Ａ）に示すように、表示画面１４ａが縦長に配置される。
【００１６】
図４（Ｂ）は、撮像素子１１の撮像範囲３１と記録部１３の記録範囲３２を示した図である。撮像範囲３１は、縦横比が略３：４であり、記録範囲３２も、ほぼ同じ範囲である。
図５（Ｂ）は、液晶モニタ１４が縦位置に配置されたときの撮像範囲３１と記録範囲３３の関係を示した図である。このとき、記録範囲３３は、撮像範囲３１を中心に縦長に設定される。
これにより、撮影者は、ムリな姿勢を取らず、縦位置の写真を撮ることができる。
【００１７】
図３に戻って、Ｓ１０４では、傾き補正処理を行う。
図６は、本実施形態に係る電子カメラの傾き補正処理を示す模式図である。
図６（Ａ）は、カメラ本体２０が水平方向より傾いて設置されている状態を示す図である。ここで、液晶モニタ１４は、カメラの傾きを補正するように（被写体に対して水平になるように）回転する。図６（Ｂ）は、このときの撮像範囲３１と記録範囲３４を示している。このとき、記録範囲３４は、所定の縦横比を保つように設定されている。
【００１８】
この傾き補正処理は、図６（Ｂ）に示すように、切り出しされた画像が、水平になるように、画像処理をする。カメラ本体２０が水平線Ｈに対して角度θ傾いていたとする。撮影者が液晶モニタ１４をほぼ水平にするように回転すると、液晶モニタ１４が予め設定された角度、例えば４５゜より、傾きが小さければ、長辺を水平に、逆に、大きければ、短辺を水平にするように変換処理する。
【００１９】
この傾き補正処理を行うことにより、カメラ本体２０が斜めに設置されている状況（大まかに水平出しされた三脚に固定されたとき、又は、平らな面がなくカメラ本体２０を斜めに設置したいとき等）であっても、簡単にフレーミングができる。このため、再生した表示画面１４ａを、液晶モニタ１４上で自然に観賞することができる。
【００２０】
図３に戻って、Ｓ１０５では、ズーム処理を行う。
図７は、本実施形態に係る電子カメラのズーム処理を示す模式図である。
図７（Ｂ）に示すように、撮像範囲３１に対して、回転させることにより記録範囲３３を小さくすると、プリント時やＴＶ出力の時のように、外形を同じ大きさで出力すると、回転させたもの［図７（Ｂ２）］、そうでないものでは［図７（Ａ２）］、相対的に被写体の大きさが変わってしまう。
本実施形態では、ズーム機構１７を備えているので、液晶モニタ１４の回転に連動して、撮影レンズをズームさせることにより［図７（Ｃ１）］、定倍率撮影を行うようにしてある［図７（Ｃ２）］。
このズーム処理を行うことにより、簡単に定倍率撮影が行える。
【００２１】
なお、ワイド端又はテレ端では、上記動作が行えないので、本実施形態に対応するカメラのモード、すなわち、定倍率撮影での変動分を見越して、ズーム範囲をワイド端、テレ端より手前にするモードを設定してある。
【００２２】
図３に戻って、Ｓ１０６では、画像最大化処理を行う。
図８は、本実施形態に係る電子カメラの表示画像の最大化処理を示す模式図である。
記録部１３は、記録画像を記録すると共に、回転検出部１５の回転情報を記録し、ＣＰＵ１６は、再生時に、記録部１３に記録された回転情報に応じて、液晶モニタ１４の表示画像が最大になるようにする。
【００２３】
つまり、記録部１３に記録された姿勢情報から、液晶モニタ１４が横位置撮影と縦位置撮影に区別する［図８（Ａ），図８（Ｂ）］。
そして、表示させるときの表示画面１４ａの姿勢により、表示画面１４ａが横位置のとき、画像情報が横位置ならば、全画面に表示する［図８（Ａ１）］。表示画面１４ａが縦位置ならば、表示画面１４ａの縦に、画像の縦を合わせて表示する（左右の領域はブラックアウトする）［図８（Ａ２）］。
【００２４】
同様に、液晶モニタ１４が縦位置のときに、表示画面１４ａの情報が縦位置ならば、全画面に表示する［図８（Ｂ１）］。表示画面１４ａが横位置ならば、表示画面１４ａの横に、画像の横を合わせて表示する（上下の領域はブラックアウトする）［図８（Ｂ２）］。
【００２５】
この画像最大化処理を行うことにより、液晶モニタ１４を有効に使えるので、画像が見やすくなる。
【００２６】
最後に、図３に戻って、Ｓ１０７では、レリーズボタン２２の全押しにより、記録画像を記録部１３に記録して、処理を終了する。
【００２７】
（変形形態）
以上説明した実施形態に限定されることなく、種々の変形や変更が可能であって、それらも本発明の均等の範囲内である。
（１）液晶モニタ１４とは別に、表示画像の光軸周りの回転量を操作する回転操作部を設け、その回転操作部で操作した表示画像の回転量に応じて、記録画像の記録範囲を変更して、記録部に記録するようにしてもよい。
（２）本実施形態で示したＣＣＤの長辺と同じ長さの正方形のＣＣＤを用いれば、縦位置にしたときにも、画像の劣化がなくなる。
（３）横位置は、ノーマルモードで、縦位置ファインモードで、自動的に撮影するようにしてもよい。
【００２８】
【発明の効果】
以上詳しく説明したように、本発明によれば、無理な姿勢を取らずに、横位置、縦位置での撮影が可能であり、また、傾いた画像を記録することを防止できるという効果がある。
【図面の簡単な説明】
【図１】本発明による電子カメラの実施形態を示すブロック図である。
【図２】本実施形態に係る電子カメラを背面から見た斜視図である。
【図３】本実施形態に係る電子カメラの動作を示すフローチャートである。
【図４】本実施形態に係る電子カメラの記録画像の変換処理を示す模式図である。
【図５】本実施形態に係る電子カメラの記録画像の変換処理を示す模式図である。
【図６】本実施形態に係る電子カメラの傾き補正処理を示す模式図である。
【図７】本実施形態に係る電子カメラのズーム処理を示す模式図である。
【図８】本実施形態に係る電子カメラの表示画像の最大化処理を示す模式図である。
【符号の説明】
１０  電子カメラ
１１  撮影素子（撮像部）
１２  画像処理部
１３  記録部
１４  液晶モニタ（表示部）
１５  回転検出部
１６  ＣＰＵ（制御部）
１７  ズーム機構
２０  カメラ本体
【図１】
2004253938.tif 000003
【図２】
2004253938.tif 000004
【図３】
2004253938.tif 000005
【図４】
2004253938.tif 000006
【図５】
2004253938.tif 000007
【図６】
2004253938.tif 000008
【図７】
2004253938.tif 000009
【図８】
2004253938.tif 000010